(57)【要約】【課題】非正規の遊技媒体を計数することによる不正を効率的に抑制すること。【解決手段】台間メダル貸機１０はメダルの投入を受け付けた場合には、投入されたメダルが正規のメダルであるか否かを識別して計数し、非正規メダルの混入率が閾値を超えるか否かを判定する。非正規メダルの混入率が閾値未満である場合には、台間メダル貸機１０は、通常の動作を継続するが、非正規メダルの混入率が閾値以上となった場合には、メダルの払い出し停止、メダルの貯メダル口座への預け入れ禁止、カードの排出禁止、入金の受付停止、メダルの計数停止等の動作制限を行なう。【選択図】図１
2014042748.tif 000002
【特許請求の範囲】
【請求項１】
遊技機に対応して設置され、前記遊技機による遊技に使用される遊技媒体を管理する各台装置であって、
所定の条件が成立したか否かを判定する条件判定手段と、
前記条件判定手段により前記所定の条件が成立したと判定された場合に、前記遊技媒体の管理にかかる動作或いは前記遊技媒体の貸出にかかる動作に対して動作制限を行なう動作制限手段と
を備えたことを特徴とする各台装置。
【請求項２】
投入された遊技媒体が正規の遊技媒体であるか非正規の遊技媒体であるかを識別する識別手段と、
前記投入された遊技媒体を計数する計数手段とをさらに備え、
前記条件判定手段は、前記識別手段による識別結果並びに前記計数手段による計数結果に基づいて前記所定の条件が成立したか否かを判定することを特徴とする請求項１に記載の各台装置。
【請求項３】
前記識別手段は、前記遊技媒体であるメダルを画像認識して前記識別を行なうことを特徴とする請求項２に記載の各台装置。
【請求項４】
前記条件判定手段は、前記計数手段により前記非正規の遊技媒体が所定個数以上計数された場合に前記所定の条件が成立したと判定することを特徴とする請求項２又は３に記載の各台装置。
【請求項５】
前記条件判定手段は、前記計数手段により計数された遊技媒体において、前記正規の遊技媒体の数に対する前記非正規の遊技媒体の数の比率が所定比率以上となった場合に前記所定の条件が成立したと判定することを特徴とする請求項２又は３に記載の各台装置。
【請求項６】
前記条件判定手段は、他の装置から動作制限指示を受信した場合に前記所定の条件が成立したと判定することを特徴とする請求項１に記載の各台装置。
【請求項７】
前記動作制限手段は、前記遊技媒体の払い出し、前記遊技媒体の遊技店に対する預け入れ、前記遊技の管理に使用する媒体の排出、貨幣の受付、若しくは前記計数手段による計数のうち、すくなくともいずれかを制限することを特徴とする請求項１〜６のいずれか一つに記載の各台装置。
【請求項８】
遊技機と、前記遊技機による遊技に使用される遊技媒体を管理する各台装置とを有する遊技システムであって、
所定の条件が成立したか否かを判定する条件判定手段と、
前記条件判定手段により前記所定の条件が成立したと判定された場合に、前記各台装置による前記遊技媒体の管理にかかる動作或いは前記遊技媒体の貸出にかかる動作に対して動作制限を行なう動作制限手段と
を備えたことを特徴とする遊技システム。
【請求項９】
遊技機に対応して設置された各台装置が、前記遊技機による遊技に使用される遊技媒体を管理する遊技媒体管理方法であって、
所定の条件が成立したか否かを判定する条件判定ステップと、
前記条件判定ステップにより前記所定の条件が成立したと判定された場合に、前記遊技媒体の管理にかかる動作或いは前記遊技媒体の貸出にかかる動作に対して動作制限を行なう動作制限ステップと
を含んだことを特徴とする遊技媒体管理方法。
【発明の詳細な説明】
【技術分野】
【０００１】
この発明は、遊技機による遊技に使用される遊技媒体を管理する各台装置、遊技機と各台装置とを有する遊技システム、並びに各台装置による遊技媒体管理方法に関する。
【背景技術】
【０００２】
従来、遊技店では、遊技玉を用いる遊技機に併設したユニットにより遊技玉の貸出しを行っていた。また、かかるユニットには、遊技によって獲得した遊技玉を計数する機能を持たせることが行われている（例えば特許文献１参照。）。
【０００３】
この遊技玉を遊技媒体として用いる遊技機の他に、メダルを遊技媒体として用いる遊技機（スロットマシン）も遊技店に設置されているが、最近、このメダルを用いる遊技機にも、遊技者による獲得メダルの持ち運びの手間を省くため、あるいは獲得メダルの回収を迅速に行うため、台ごとに獲得メダルを計数する計数機（各台メダル計数機）が備えられつつある。この各台メダル計数機は、獲得した賞メダルを投入することでその数を計数するとともに賞メダルは流通経路に戻し、得られた計数値を表示し、あるいは記録媒体へ記録し、さらに管理のためにその計数値を台番号とともに島コントローラあるいは店全体を管理するターミナルコントローラなどの管理装置に通知する。
【先行技術文献】
【特許文献】
【０００４】
【特許文献１】特開２００３−２１０８１８号公報
【発明の概要】
【発明が解決しようとする課題】
【０００５】
しかしながら、各台で遊技媒体を計数する場合には、遊技者の故意や過失による非正規の遊技媒体の混入が大きな問題となる。複数の遊技機を設置した遊技島毎に計数機を設ける構成では、遊技店の店員を計数時に立ち会わせ、非正規の遊技媒体が混入していないか確認できるのに対し、各台で計数を行なう構成では店員による確認を行なわせるのは現実的ではなく、非正規の遊技媒体の混入を監視できないためである。
【０００６】
このため、非正規の遊技媒体を計数することによる不正をいかにして抑制するかが大きな重要な課題となっている。かかる課題は、遊技媒体が遊技玉である場合であってもメダルである場合であっても生じるのであるが、一般的に遊技玉よりもメダルの方が貸出単価が高いため、メダルの混入が特に重要な課題となる。
【０００７】
本発明は、上述の問題点に鑑みなされたものであって、非正規の遊技媒体を計数することによる不正を効率的に抑制することのできる各台装置、遊技システム及び遊技媒体管理方法を提供することを目的とする。
【課題を解決するための手段】
【０００８】
上述した課題を解決し、目的を達成するため、本発明は、遊技機に対応して設置され、前記遊技機による遊技に使用される遊技媒体を管理する各台装置であって、所定の条件が成立したか否かを判定する条件判定手段と、前記条件判定手段により前記所定の条件が成立したと判定された場合に、前記遊技媒体の管理にかかる動作或いは前記遊技媒体の貸出にかかる動作に対して動作制限を行なう動作制限手段とを備えたことを特徴とする。
【０００９】
また、本発明は、上記発明において、投入された遊技媒体が正規の遊技媒体であるか非正規の遊技媒体であるかを識別する識別手段と、前記投入された遊技媒体を計数する計数手段とをさらに備え、前記条件判定手段は、前記識別手段による識別結果並びに前記計数手段による計数結果に基づいて前記所定の条件が成立したか否かを判定することを特徴とする。
【００１０】
また、本発明は、上記発明において、前記識別手段は、前記遊技媒体であるメダルを画像認識して前記識別を行なうことを特徴とする。
【００１１】
また、本発明は、上記発明において、前記条件判定手段は、前記計数手段により前記非正規の遊技媒体が所定個数以上計数された場合に前記所定の条件が成立したと判定することを特徴とする。
【００１２】
また、本発明は、上記発明において、前記条件判定手段は、前記計数手段により計数された遊技媒体において、前記正規の遊技媒体の数に対する前記非正規の遊技媒体の数の比率が所定比率以上となった場合に前記所定の条件が成立したと判定することを特徴とする。
【００１３】
また、本発明は、上記発明において、前記条件判定手段は、他の装置から動作制限指示を受信した場合に前記所定の条件が成立したと判定することを特徴とする。
【００１４】
また、本発明は、上記発明において、前記動作制限手段は、前記遊技媒体の払い出し、前記遊技媒体の遊技店に対する預け入れ、前記遊技の管理に使用する媒体の排出、貨幣の受付、若しくは前記計数手段による計数のうち、すくなくともいずれかを制限することを特徴とする。
【００１５】
また、本発明は、遊技機と、前記遊技機による遊技に使用される遊技媒体を管理する各台装置とを有する遊技システムであって、所定の条件が成立したか否かを判定する条件判定手段と、記条件判定手段により前記所定の条件が成立したと判定された場合に、前記各台装置による前記遊技媒体の管理にかかる動作或いは前記遊技媒体の貸出にかかる動作に対して動作制限を行なう動作制限手段と
を備えたことを特徴とする。
【００１６】
また、本発明は、遊技機に対応して設置された各台装置が、前記遊技機による遊技に使用される遊技媒体を管理する遊技媒体管理方法であって、所定の条件が成立したか否かを判定する条件判定ステップと、前記条件判定ステップにより前記所定の条件が成立したと判定された場合に、前記遊技媒体の管理にかかる動作或いは前記遊技媒体の貸出にかかる動作に対して動作制限を行なう動作制限ステップとを含んだことを特徴とする。
【発明の効果】
【００１７】
本発明によれば、遊技に使用される遊技媒体を管理する際に、所定の条件が成立したか否かを判定し、所定の条件が成立したと判定された場合に、遊技媒体の管理にかかる動作或いは遊技媒体の貸出にかかる動作に対して動作制限を行なうよう構成したので、非正規の遊技媒体を計数することによる不正を効率的に抑制することができる。
【図面の簡単な説明】
【００１８】
【図１】図１は、実施例１に係るメダル管理の概念を説明するための説明図である。
【図２】図２は、遊技店のシステム構成を示す図である。
【図３】図３は、図２に示した遊技機及び台間メダル貸機の外観構成を示す図である。
【図４】図４は、図２に示した台間メダル貸機の内部構成を示すブロック図である。
【図５】図５は、台間メダル貸機のメダル計数時の処理手順について説明するためのフローチャートである。
【図６】図６は、実施例２に係るメダル管理の概念を説明するための説明図である。
【図７】図７は、図６に示したカード管理装置の内部構成を示すブロック図である。
【図８】図８は、図６に示した台間メダル貸機の内部構成を示すブロック図である。
【図９】図９は、カード管理装置による動作制限の処理手順について説明するためのフローチャートである。
【発明を実施するための形態】
【００１９】
以下に、添付図面を参照して、本発明に係る各台装置、遊技システム及び遊技媒体管理方法の好適な実施例を詳細に説明する。
【００２０】
本明細書中にあって持メダルとは、遊技客が遊技において獲得した遊技媒体又は当該遊技媒体数を示すデータであって、その当日中（閉店より前の時間）のみ遊技に再度供することができるものを言う。貯メダルとは、遊技客が遊技において獲得した遊技媒体又は当該遊技媒体数を示すデータであって、翌日以降（閉店より後の時間）も遊技に再度供することができるものを言う。持メダルは、一般遊技客及び会員遊技客の双方が使用可能であり、遊技機を移動した場合などに使用する。貯メダルは通常、会員遊技客のみが使用可能であり、獲得した遊技媒体を翌日以降の遊技に用いる場合に使用する。貯メダルの使用には所定の手数料を課すこととしてもよい。なお、便宜上、遊技媒体が遊技玉であるかメダルであるかに関わらず、持メダル及び貯メダルと表記する。また、持メダルを当日貯メダルと呼んでもよい。
【実施例１】
【００２１】
まず、本実施例１に係るメダル管理の概念について説明する。図１は、実施例１に係るメダル管理の概念を説明するための説明図である。図１に示すように、メダルを遊技媒体として使用する遊技機２０には、台間メダル貸機１０が併設される。台間メダル貸機１０は、使用可能なメダル枚数等をカードに関連付けて管理し、メダルの払い出しや計数を行なう。
【００２２】
図１（ａ）に示すように、台間メダル貸機１０はメダルの投入を受け付けた場合には、投入されたメダルが正規のメダルであるか否かを識別して計数する。台間メダル貸機１０は、投入された正規メダルの数と非正規メダルの数とをそれぞれ記憶し、非正規メダルの混入率、すなわち、非正規メダルの計数合計値を正規メダルの計数合計値で除算した値が閾値を超えるか否かを判定する。
【００２３】
非正規メダルの混入率が閾値未満である場合には、台間メダル貸機１０は、図１（ｂ）に示すように通常の動作を継続するが、非正規メダルの混入率が閾値以上となった場合には、台間メダル貸機１０は、図１（ｃ）に示すように動作の制限を行なう。動作の制限は、具体的には、メダルの払い出し停止、メダルの貯メダル口座への預け入れ禁止、カードの排出禁止、入金の受付停止、メダルの計数停止等である。
【００２４】
なお、メダルの払い出しには、メダルの貸し出し（メダル貸）による払い出しと、持メダル口座又は貯メダル口座からの再プレイによる払い出しとを含む。メダルの払い出し停止を行なう場合には、メダル貸、持メダル再プレイ及び貯メダル再プレイの全てを停止してもよし、メダル貸のみの停止や、メダル貸しと持メダル再プレイの停止のように一部を選択的に停止してもよい。また、動作制限の実行時には、台間メダル貸機１０が動作制限中であること遊技客や店員に対して報知することが望ましい。かかる報知は、後述する台間メダル貸機１０の状態表示部１１の点灯制御や、上位の管理装置に対する通信などにより行なうことができる。
【００２５】
このように、台間メダル貸機１０は、メダルを計数する際に非正規メダルの混入率を算定し、非正規メダルの混入率が閾値以上となった場合に動作制限を行なうので、他店からの持ち込みメダルやレートの異なるメダル等、非正規メダルの投入による被害を抑制することができる。又は、カードの排出を制限することで、不正を行なった可能性のある遊技客の確保を支援することができる。
【００２６】
次に、遊技店のシステム構成について説明する。図２は、遊技店のシステム構成を示す図である。図２に示すように、遊技店には、複数の遊技機２０と、各遊技機２０にそれぞれ対応して設けられた台間メダル貸機１０とが設置される。台間メダル貸機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００２７】
遊技機２０は、遊技媒体であるメダルをメダル投入口に投入して、３個のドラムを回転させるとともに、ストップボタンを順次押して絵柄をそろえることにより遊技を行うスロットマシンである。３つのドラムの有効ラインに一定の絵柄が揃うと、遊技機２０は、絵柄の種類に応じた枚数のメダルを獲得メダルとして払い出す。
【００２８】
台間メダル貸機１０は、入金の受付、メダルの貸し出し並びにカード管理装置４０との通信を行う。台間メダル貸機１０は、遊技客が投入した紙幣を受け付けたならば、入金額を含む入金通知をカード管理装置４０に送信することで、プリペイド価値をカード管理装置４０が管理するプリペイド価値に加算させる。そして、所定のメダル貸操作がなされたならば、メダル貸要求をカード管理装置４０に送信し、カード管理装置４０が管理するプリペイド価値を減算させて、減算したプリペイド価値分に対応する数のメダルを払い出す。
【００２９】
また、台間メダル貸機１０は、カードの挿入を受け付けたならば、カード管理装置４０にカード挿入通知を送信する。また、台間メダル貸機１０は、カード管理装置４０からプリペイド価値、持メダル口座又は貯メダル口座の残高を受信した場合には、該残高を記憶する。そして、持メダル口座の残高を受信し、記憶した場合には、カード管理装置４０に対して持メダル減算要求を送信することで、カード管理装置４０が管理する持メダル口座の残高をゼロにクリアする。
【００３０】
また、台間メダル貸機１０は、持メダル再プレイ操作を受け付けると、自装置が管理する持メダル口座の残高を所定数減算し、減算した数に対応する数のメダルを払い出す。また、台間メダル貸機１０は、貯メダル再プレイ操作を受け付けると、カード管理装置４０に対して貯メダル再プレイ要求を送信することで、会員管理装置５０が管理する貯メダル口座の残高を所定数減算させ、減算した数に対応する数のメダルを払い出す。
【００３１】
台間メダル貸機１０は、カード返却操作を受け付けたならば、自装置が管理する持メダル口座の残高を含む持メダル加算要求をカード管理装置４０に送信し、カード管理装置４０に持メダルを加算させた後、カード排出通知をカード管理装置４０に送信し、カードを排出制御する。
【００３２】
島コントローラ３０は、遊技島に設けられた一群の遊技機２０及び台間メダル貸機１０を束ねる中継装置である。カード管理装置４０は、カードのプリペイド価値及び持メダル数等をカードデータとして管理する管理装置である。
【００３３】
カード管理装置４０は、台間メダル貸機１０からカード挿入通知を受信したならば、挿入されたカードのＩＤと台間メダル貸機１０とを関連づけて管理し、該カードＩＤに関連づけられたプリペイド価値及び持メダル口座の残高を台間メダル貸機１０に送信する。また、カード挿入通知に示されたカードＩＤが会員カードのカードＩＤである場合には、該カードＩＤに関連づけられた貯メダル口座の残高を会員管理装置５０から取得し、プリペイド価値及び持メダル口座の残高とともに台間メダル貸機１０に送信する。
【００３４】
また、カード管理装置４０は、台間メダル貸機１０から持メダル減算要求を受信した場合には、持メダル口座の残高をゼロにクリアし、台間メダル貸機１０から持メダル加算要求を受信した場合には、持メダル加算要求に示された持メダル数を持メダル口座に加算する。
【００３５】
また、カード管理装置４０は、台間メダル貸機１０からメダル貸要求を受信した場合には、対応するプリペイド価値を所定値減算し、メダル貸許可を台間メダル貸機１０に送信する。そして、貯メダル再プレイ要求を受信した場合には、該貯メダル再プレイ要求を会員管理装置５０に送信し、会員管理装置５０が貯メダル再プレイ許可を出力した場合には、貯メダル再プレイ許可を台間メダル貸機１０に送信する。
【００３６】
また、カード管理装置４０は、景品管理装置６０からカードＩＤを受信したならば、このカードＩＤに関連付けられた持メダル口座の残高を景品管理装置６０に対して通知する。さらに、精算機８０からカードＩＤを受信したならば、このカードＩＤに関連付けられたプリペイド価値を精算機８０に対して通知する。
【００３７】
会員管理装置５０は、遊技店に会員登録された会員の会員管理データを管理する管理装置である。具体的には、会員に対して発行した会員カードＩＤに関連づけて、貯メダル数、ポイント、暗証番号及び氏名等を管理する。
【００３８】
会員管理装置５０は、カード管理装置４０から貯メダル口座残高の問い合わせを受けたならば、指定されたカードＩＤに対応する貯メダル口座の残高をカード管理装置４０に通知する。また、会員管理装置５０は、カード管理装置４０を介して貯メダル再プレイ要求を受信したならば、貯メダル再プレイ要求に示されたカードＩＤに関連づけられた貯メダル口座の残高を所定数減算し、貯メダル再プレイ許可を出力する。
【００３９】
また、会員管理装置５０は、景品管理装置６０から貯メダル口座残高の問い合わせを受けたならば、指定されたカードＩＤに対応する貯メダル口座の残高を景品管理装置６０に通知する。
【００４０】
景品管理装置６０は、遊技店内の景品交換カウンタに併設された景品交換用の端末装置であり獲得玉、貯メダル及び持メダルの景品交換処理を行う。この景品管理装置６０には、カードのカードＩＤを読み取るリーダライタ及び景品を払い出す景品払出装置が接続されている。景品管理装置６０は、リーダライタがカードを受け付けた場合には、リーダライタで読み出したカードのカードＩＤをカード管理装置４０に送信して、該カードの持メダル口座残高を要求する。また、貯メダルを景品交換する場合は、会員管理装置５０に対して貯メダル口座残高を要求する。
【００４１】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４２】
図２に示したシステムでメダル貸しを行う場合のメダル貸処理について説明する。遊技客が台間メダル貸機１０に対してメダル貸操作を行うと、台間メダル貸機１０は、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、メダル貸要求とを含む。
【００４３】
カード管理装置４０は、メダル貸要求を含む電文を受信すると、該電文内のカードＩＤに関連付けられたプリペイド価値を所定値（例えば、１００円＝１度数の場合に５度数）減算してカード管理データを更新し、メダル貸許可を送信元の台間メダル貸機１０に送信する。メダル貸許可を受信した台間メダル貸機１０は、減算したプリペイド価値に対応する数（例えば２５枚）のメダルを払い出す。
【００４４】
次に、図２に示したシステムで持メダルの再プレイを行う場合の持メダル再プレイ処理について説明する。台間メダル貸機１０は、一般カードあるいは会員カードの挿入を受け付けた場合に、カード管理装置４０のローカルＩＰアドレスを宛先として指定した電文を送信する。この電文は、台間メダル貸機１０に挿入されているカードのカードＩＤと、送信元である台間メダル貸機１０を特定するＩＰアドレス若しくは任意の識別情報と、台間メダル貸機１０のレートを特定するための情報と、カード挿入通知とを含む。
【００４５】
カード管理装置４０は、台間メダル貸機１０からカード挿入通知を受信した場合には、該電文内のカードＩＤに関連付けられた持メダル口座のうち、該電文により特定されたレートの持メダル口座の残高を台間メダル貸機１０に通知する。
【００４６】
台間メダル貸機１０は、カード管理装置４０から受信した持メダルの残高を記憶する。そして、カードＩＤ及びレートを特定する情報と、持メダル減算要求とを含む電文をカード管理装置４０に送信する。カード管理装置４０は、持メダル減算要求を受信した場合には、カードＩＤ及びレートにより特定される持メダル口座の残高をゼロにクリアする。台間メダル貸機１０は、持メダル再プレイ操作を受け付けた場合には、記憶した持メダルの残高を所定数減算し、対応する数のメダルを払い出す。
【００４７】
台間メダル貸機１０は、カード返却操作を受け付けた場合には、カード管理装置４０に対して持メダル加算要求を含む電文を送信する。この電文は、排出するカードのカードＩＤと、送信元である台間メダル貸機１０を特定するＩＰアドレス若しくは任意の識別情報と、台間メダル貸機１０のレートを特定するための情報と、持メダルの残高と持メダル加算要求とを含む。
【００４８】
カード管理装置４０は、持メダル加算要求を受け付けた場合には、該電文内のカードＩＤに関連付けられた持メダル口座のうち、該電文により特定されたレートの持メダル口座の残高を受信した残高の値に更新する。
【００４９】
その後、台間メダル貸機１０は、カード管理装置４０にカード排出通知を送信し、カードを排出制御する。
【００５０】
次に、図２に示したシステムで貯メダルの再プレイを行う場合の貯メダル再プレイ処理について説明する。台間メダル貸機１０は、カードの挿入後、最初に貯メダル再プレイ操作を受け付けた場合、若しくは会員カードとして使用可能な携帯端末からカードＩＤに対応する識別情報を読み取った場合に、カード管理装置４０のローカルＩＰアドレスを宛先として指定した電文を送信する。この電文は、台間メダル貸機１０に挿入されているカードのカードＩＤ（若しくは携帯端末から読み取ったカードＩＤに対応する識別情報。以降、カードＩＤという）と、送信元である台間メダル貸機１０を特定するＩＰアドレス若しくは任意の識別情報と、台間メダル貸機１０のレートを特定するための情報と、貯メダル再プレイ要求とを含む。また、貯メダル再プレイに際して暗証番号の入力を要求する場合には、電文の送信前に暗証番号の入力を要求しておき、入力された暗証番号を電文に含める。
【００５１】
カード管理装置４０は、貯メダル再プレイ要求の電文を、会員管理装置５０に送信する。会員管理装置５０は、貯メダル再プレイ要求の電文を受信した場合には、該電文内のカードＩＤに関連付けられた貯メダル口座のうち、該電文により特定されたレートの貯メダル口座の残高を所定値減算し、減算後の残高とともに貯メダル再プレイ許可を台間メダル貸機１０に送信する。
【００５２】
台間メダル貸機１０は、貯メダル再プレイ許可を受信したならば、貯メダル残高が該貯メダル再プレイ許可とともに受信した減算後の残高に至るまで順次メダルを投出し、自装置が管理する貯メダル残高の更新を行なう。
【００５３】
次に、閉店処理における持メダルからの貯メダルへの移行について説明する。カード管理装置４０は、閉店処理時にカード管理データの持メダル口座の残高を確認し、持メダルの残高が「０」より大きい持メダル口座が存在する場合には、該持メダル口座の残高をカードＩＤ及びレートとともに会員管理装置５０に通知する。会員管理装置５０は、カードＩＤ及びレートにより特定される貯メダル口座の残高に通知された持メダル口座残高を加算して更新する。その後、カード管理装置４０は、該持メダル口座の残高をゼロにクリアする。
【００５４】
次に、図２に示した遊技機２０及び台間メダル貸機１０の外観構成について説明する。図３は、図２に示した遊技機２０及び台間メダル貸機１０の外観構成を示す図である。なお、紙幣のみを受け付ける台間メダル貸機１０を図示したが、硬貨受付用のユニットを設けることもできる。
【００５５】
図３に示すように、遊技機２０は、３つのドラムを有するドラム部２１と、各種表示を行なう表示部２２と、メダル投入口２３と、ドラムの回転開始操作を受け付けるスタートレバーやドラムに対応して設けられた３つのストップボタン等を有する操作部２４と、遊技機２０から払い出されたメダルを受け入れる受け皿２５とを有する。
【００５６】
また、台間メダル貸機１０は、台間メダル貸機１０の装置状態を所定色のランプの点灯あるいは点滅で表示する状態表示部１１と、メダルを貸し出す際の各種紙幣を受け付ける紙幣挿入口１２ａと、タッチパネルディスプレイ等の表示操作部１３と、カードを受け付けるカード挿入口１４ａと、携帯端末等をかざすためのかざし部１４ｂと、メダルを遊技機に投出するノズル１８ａと、計数対象のメダルの投入を受け付けるメダル投入部１９ａとを有する。
【００５７】
次に、図２に示した台間メダル貸機１０の内部構成について説明する。図４は、図２に示した台間メダル貸機１０の内部構成を示すブロック図である。図４に示すように、台間メダル貸機１０は、紙幣搬送部１２と、表示操作部１３と、リーダライタ１４と、かざし部１４ｂと、通信部１５と、記憶部１６と、制御部１７と、ノズルユニット１８と、計数ユニット１９とを有する。
【００５８】
紙幣搬送部１２は、紙幣挿入口１２ａから挿入された紙幣の金種及び真偽を判別しつつ図示しない紙幣収納部に搬送する搬送部である。リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。通信部１５は、遊技機２０及び通信回線との間のデータ通信を行なうためのインタフェース部である。
【００５９】
記憶部１６は、ハードディスク装置や不揮発性メモリ等からなる記憶デバイスである。記憶部１６は、カードＩＤ１６ａ、有価価値データ１６ｂ、基準メダルデータ１６ｃ、判定閾値１６ｄ及び計数データ１６ｅを記憶する。
【００６０】
カードＩＤ１６ａは、リーダライタ１４により読み取られたカードＩＤである。図示しないカード収納部からカード挿入口１４ａにカードが搬送され、該カードが排出される場合には、この搬送途中でリーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００６１】
有価価値データ１６ｂは、遊技媒体の払い出しを受けるために使用可能な有価価値を示すデータである。この有価価値には、メダル貸しに使用可能なプリペイド価値の残高、持メダル口座の残高並びに貯メダル口座の残高を含む。
【００６２】
基準メダルデータ１６ｃは、正規のメダルの画像データであり、メダルの識別に使用される。判定閾値１６ｄは、動作制限を行なうか否かを判定するための閾値である。計数データ１６ｅは、正規メダルの計数値の合計と非正規メダルの計数値の合計とを示すデータである。
【００６３】
制御部１７は、台間メダル貸機１０を全体制御する制御部であり、データ管理部１７ａ、計数処理部１７ｂ、識別処理部１７ｃ、判定処理部１７ｄ及び動作制限部１７ｅを有する。
【００６４】
データ管理部１７ａは、カードが挿入された場合に、カードＩＤ１６ａ及び装置ＩＤを含むカード挿入通知をカード管理装置４０に送信する。また、データ管理部１７ａは、カード管理装置４０から有価価値（プリペイド価値、持メダル及び貯メダルの少なくともいずれか）を受信した場合に、受信した有価価値により有価価値データ１６ｂを更新する。データ管理部１７ａは、有価価値データ１６ｂに示されたプリペイド価値、持メダル及び貯メダルの値を適宜表示操作部１３に表示制御する。
【００６５】
また、データ管理部１７ａは、遊技客によりメダル貸操作が行なわれた場合に、カードＩＤ１６ａ及び装置ＩＤを含むメダル貸要求をカード管理装置４０に送信する。このメダル貸要求への応答としてメダル貸許可を受信したならば、データ管理部１７ａは、所定数のメダルを払い出す。
【００６６】
また、データ管理部１７ａは、遊技客により持メダル再プレイ操作が行なわれた場合に、有価価値データ１６ｂに示された持メダル口座の残高を所定数減算し、対応する数のメダルを払い出す。
【００６７】
また、データ管理部１７ａは、遊技客により貯メダル再プレイ操作が行なわれた場合に、カードＩＤ１６ａ及び装置ＩＤを含む貯メダル再プレイ要求をカード管理装置４０に送信する。この貯メダル再プレイ要求への応答として貯メダル再プレイ許可を受信したならば、データ管理部１７ａは、所定数のメダルを払い出す。
【００６８】
また、データ管理部１７ａは、遊技客によりカード返却操作が行なわれた場合に、カードＩＤ１６ａ、装置ＩＤ並びに持メダル数を含む持メダル加算要求をカード管理装置４０に送信して、自装置持メダル口座の残高を０にクリアした後、カード排出通知をカード管理装置４０に送信し、カードを排出する。
【００６９】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【００７０】
また、データ管理部１７ａは、遊技客から持メダルを貯メダルに移行するための貯メダル移行操作を受け付けた場合に、カードＩＤ１６ａと、装置ＩＤとを含む貯メダル移行要求をカード管理装置４０に送信し、持メダルの一部又は全部を持メダルから貯メダルに移行させる。
【００７１】
なお、挿入されているカードが会員に対して発行される会員カードであれば、カードＩＤにより移行先の貯メダル口座が特定可能であるが、挿入されているカードが非会員でも使用可能な一般カードであれば、移行先の貯メダル口座を特定するために会員を識別するための情報が必要である。この会員を識別するための情報としては、携帯端末のＩＤｍを使用可能である。携帯端末のＩＤｍを使用する場合には、かざし部１４ｂから読み取ったＩＤｍを貯メダル移行要求に含めることとなる。なお、携帯端末での貯メダルには、ＩＤｍそのものを使うのではなく、事前にＩＤｍにより会員カードＩＤを問い合わせ、応答で得た会員カードＩＤを利用して行なうようにしてもよい。
【００７２】
計数処理部１７ｂは、計数ユニット１９にメダルが投入された場合に、計数ユニット１９にメダルの計数を行わせ、計数結果を有価価値データ１６ｂの持メダル数に加算する処理を行う。また、計数処理部１７ｂは、計数したメダルが識別処理部１７ｃにより正規のメダルと識別された場合には、計数データ１６ｅの正規メダルの計数値を加算し、計数したメダルが識別処理部１７ｃにより非正規のメダルと識別された場合には、計数データ１６ｅの非正規メダルの計数値を加算する。
【００７３】
識別処理部１７ｃは、計数ユニット１９にメダルが投入された場合に、該メダルを撮像した画像データと基準メダルデータ１６ｃとを比較し、投入されたメダルが正規のメダルであるか非正規のメダルであるかを識別する処理部である。識別の結果は、計数処理部１７ｂに出力することで、計数データ１６ｅの更新に使用される。
【００７４】
判定処理部１７ｄは、計数データ１６ｅが更新された場合に、更新された計数データ１６ｅから非正規メダルの混入率を算定し、非正規メダルの混入率が判定閾値１６ｄ以上であるか否かを判定する。
【００７５】
動作制限部１７ｅは、判定処理部１７ｄにより、非正規メダルの混入率が判定閾値１６ｄ以上であると判定された場合に、台間メダル貸機１０の動作を制限する処理部である。具体的には、メダル貸の停止、持メダル再プレイの停止、貯メダル再プレイの停止、貯メダル口座への移行の禁止、カードの排出禁止、入金の受付停止、メダルの計数停止等を行う。これらの動作制限は、全てを使用してもよいし、一部を選択的に使用してもよい。
【００７６】
動作制限部１７ｅは、動作制限を行なった場合に、状態表示部１１の点灯制御並びに、上位の装置に対する通信により動作制限を実行中であることを報知する。また、動作制限は、店員により所定の操作を受け付けた場合に解除する。
【００７７】
次に、台間メダル貸機１０のメダル計数時の処理手順について説明する。図５は、台間メダル貸機１０のメダル計数時の処理手順について説明するためのフローチャートである。
【００７８】
図５に示すように、計数ユニット１９にメダルが投入されたならば、識別処理部１７ｃが投入されたメダルを識別する（ステップＳ１０１）。識別の結果、投入されたメダルが正規メダルである場合には（ステップＳ１０２；Ｙｅｓ）、計数処理部１７ｂは、計数データ１６ｅの正規メダル数を加算して（ステップＳ１０７）、処理を終了する。
【００７９】
投入されたメダルが正規メダルでない場合には（ステップＳ１０２；Ｎｏ）、計数処理部１７ｂは、計数データ１６ｅの非正規メダル数を加算する（ステップＳ１０３）。また、判定処理部１７ｄは、動作制限の条件が成立したか否かを判定する（ステップＳ１０４）。具体的には、非正規メダル数を正規メダル数で除算して非正規メダルの混入率を算定し、混入率が判定閾値１６ｄ以上である場合に動作制限の条件が成立したと判定する。
【００８０】
動作制限の条件が成立しなかった場合には（ステップＳ１０５；Ｎｏ）、そのまま処理を終了する。一方、動作制限の条件が成立した場合には（ステップＳ１０５；Ｙｅｓ）、動作制限部１７ｅによる動作制限を実行し（ステップＳ１０６）、処理を終了する。
【００８１】
上述してきたように、本実施例１では、台間メダル貸機１０がメダルを計数する際に、基準メダルデータ１６ｃとの比較を行なって正規のメダルであるか否かを識別し、非正規メダルの混入率が判定閾値１６ｄとなった場合には、台間メダル貸機１０の動作を制限するように構成したので、非正規の遊技媒体を計数することによる不正を効率的に抑制することができる。
【００８２】
なお、本実施例１では、非正規メダルの計数合計値を正規メダルの計数合計値で除算することで非正規メダルの混入率を算定する場合について説明を行なったが、非正規メダルの計数合計値と正規メダルの計数合計値の合計で非正規メダルの計数合計値を除算して非正規メダルの混入率を算定することとしてもよい。
【００８３】
また、非正規メダルの混入率に限らず、非正規メダルの計数合計値に対して判定閾値を設定し、非正規メダルの計数合計値が判定閾値以上となった場合に動作制限を行なうように構成してもよい。
【００８４】
また、非正規メダルの混入率による判定と、非正規メダルの計数合計値による判定とは組み合わせて用いることもできる。具体的には、非正規メダルの混入率と、非正規メダルの計数合計値のいずれかが動作制限の条件を満たした場合に、台間メダル貸機１０の動作制限を実行する。また、計数毎の非正規メダルの混入率を算定し、例えば非正規メダルの混入率が５％以上となる計数が５回以上行なわれた場合に動作制限を実行するように構成してもよい。
【００８５】
また、非正規メダルの計数合計値並びに正規メダルの計数合計値は、所定のタイミングでリセットする。かかる計数合計値のリセットのタイミングとしては、閉店処理時や、遊技客の入れ替わりを検知した時などを用いることができる。
【実施例２】
【００８６】
上記実施例１では、台間メダル貸機１０が動作制限の判定を行なう場合について説明したが、動作制限の判定は、上位の装置により行なうこともできる。そこで、本実施例２では、カード管理装置４０が動作制限の判定を行なう構成について説明する。
【００８７】
図６は、実施例２に係るメダル管理の概念を説明するための説明図である。図６に示すように、遊技機２０には、台間メダル貸機１１０が併設され、台間メダル貸機１１０は、島コントローラ３０及び通信回線を介してカード管理装置１４０と接続する。
【００８８】
台間メダル貸機１１０は、動作状態や、計数したメダルの識別結果を随時カード管理装置１４０に送信する。カード管理装置１４０は、台間メダル貸機１１０から受信した各種情報に基づいて動作制限の条件が成立したか否かを判定する。そして、動作制限の条件が成立した場合には、動作制限の対象となる台間メダル貸機１１０に対して動作制限指示を送信する。台間メダル貸機１１０は、カード管理装置１４０から動作制限指示を受信した場合に動作制限を実行する。
【００８９】
このように、カード管理装置１４０が動作制限の条件が成立したか否かを判定し、動作制限の条件が成立した場合には、動作制限の対象となる台間メダル貸機１１０に動作制限指示を送信することで、台間メダル貸機１１０の動作制限を行ない、不正による被害を抑制することができる。
【００９０】
次に、図６に示したカード管理装置１４０の内部構成について説明する。図７は、図６に示したカード管理装置１４０の内部構成を示すブロック図である。図７に示すように、カード管理装置１４０は、表示部４１及び入力部４２と接続され、店舗ネットワーク通信部４４、記憶部４５及び制御部４６を有する。
【００９１】
表示部４１は、液晶パネルやディスプレイ装置等である。入力部４２は、キーボードやマウス等である。店舗ネットワーク通信部４４は、通信回線を介して台間メダル貸機１１０、会員管理装置５０、景品管理装置６０等とデータ通信するためのインタフェース部である。
【００９２】
記憶部４５は、ハードディスク装置や不揮発性メモリ等の記憶デバイスであり、カード管理データ４５ａ、判定条件４５ｂ及び動作制限管理データ４５ｃを記憶する。カード管理データ４５ａは、カードＩＤに対し、プリペイド価値の残高と、各レートの持メダル口座の残高と、該カードが挿入されている台間メダル貸機のＩＤを示す使用先ＩＤとを対応付けたデータである。
【００９３】
判定条件４５ｂは、台間メダル貸機１１０に対して動作制限を行なう条件を示すデータである。動作制限管理データ４５ｃは、各台間メダル貸機１１０から収集した計数データ１６ｅ等、台間メダル貸機１１０の動作に関するデータを台間メダル貸機１１０の装置ＩＤに関連付けたデータである。また、動作制限を実行中であるか否かを示すデータも動作制限管理データ４５ｃに含まれる。
【００９４】
制御部４６は、カード管理装置１４０を全体制御する制御部であり、カード管理部４６ａ、判定処理部４６ｂ、及び動作制限管理部４６ｃを有する。実際には、これらの機能部に対応するプログラムを図示しないＲＯＭや不揮発性メモリに記憶しておき、これらのプログラムをＣＰＵ（Central Processing Unit）にロードして実行することにより、カード管理部４６ａ、判定処理部４６ｂ、及び動作制限管理部４６ｃにそれぞれ対応するプロセスを実行させることになる。
【００９５】
カード管理部４６ａは、カード管理データ４５ａの管理を行なう処理部である。具体的には、カード管理部４６ａは、台間メダル貸機１１０からカード挿入通知を受信した場合には、カード挿入通知に示されたカードＩＤの使用先を、同じくカード挿入通知に示された装置ＩＤとする。また、カード挿入通知に示されたカードＩＤに関連付けられた有価価値を台間メダル貸機１１０に通知する。ここで、有価価値のうち、プリペイド価値と持メダル口座の残高については、カード管理データ４５ａから読みだす。また、挿入されたカードが会員カードである場合には、会員管理装置５０に対してカードＩＤを通知し、該カードＩＤに関連付けられた貯メダル口座の残高を取得する。
【００９６】
また、カード管理部４６ａは、台間メダル貸機１１０から持メダル減算要求を受信した場合に、該持メダル減算要求に示されたカードＩＤに関連付けられた持メダル口座の残高をゼロにクリアしてカード管理データ４５ａを更新する。
【００９７】
また、カード管理部４６ａは、台間メダル貸機１１０からカードＩＤを含むメダル貸要求を受信した場合に、該カードＩＤに関連付けられたプリペイド価値が所定値以上であるか否かを判定する。プリペイド価値が所定値以上である場合には、カード管理部４６ａは、プリペイド価値を所定値減算してカード管理データ４５ａを更新し、台間メダル貸機１１０に更新後のプリペイド価値を含むメダル貸許可を送信する。一方、プリペイド価値が所定値未満である場合には、カード管理部４６ａは、台間メダル貸機１１０にメダル貸不可を通知する。
【００９８】
また、カード管理部４６ａは、台間メダル貸機１１０から金額、カードＩＤ及び装置ＩＤを含む入金通知を受信した場合に、該カードＩＤに関連付けられたプリペイド価値を入金通知に示された金額に対応する度数分加算して、カード管理データ４５ａを更新する。
【００９９】
また、カード管理部４６ａは、台間メダル貸機１１０から貯メダル再プレイ要求を受信した場合には、該貯メダル再プレイ要求を会員管理装置５０に転送する。また、貯メダル再プレイ要求に対する会員管理装置５０からの応答についても、カード管理部４６ａが転送制御をおこなう。
【０１００】
また、カード管理部４６ａは、台間メダル貸機１１０から持メダル加算要求を受信した場合には、該持メダル加算要求に示されたカードＩＤに関連付けられた持メダル口座の残高に、受信した持メダル数を加算して、カード管理データ４５ａを更新する。
【０１０１】
また、カード管理部４６ａは、台間メダル貸機１１０からカード排出通知を受信した場合には、カード排出通知に示されたカードＩＤの使用先をクリアしてカード管理データ４５ａを更新する。
【０１０２】
また、カード管理部４６ａは、景品管理装置６０からカードＩＤを受信したならば、このカードＩＤに対応づけられた各レートの持メダル口座の残高を景品管理装置６０に対して通知する。
【０１０３】
判定処理部４６ｂは、動作制限管理データ４５ｃが更新された場合に、判定条件４５ｂを満たす台間メダル貸機１１０が存在するか否かを判定する。具体的には、実施例１と同様の非正規メダル混入率や非正規メダル混入数と閾値との比較等により判定条件を満たす台間メダル貸機１１０が存在するか否かを判定する。
【０１０４】
動作制限管理部４６ｃは、台間メダル貸機１１０から受信した各種データに基づいて動作制限管理データ４５ｃを更新し、判定処理部４６ｂによる判定を行なわせる。判定処理部４６ｂによる判定の結果、動作制限の条件を満たす台間メダル貸機１１０が存在する場合には、動作制限管理部４６ｃは、動作制限の条件を満たした台間メダル貸機１１０に対して動作制限指示を送信するとともに、動作制限を実行中であることを動作制限管理データ４５ｃにより管理する。
【０１０５】
次に、図６に示した台間メダル貸機１１０の内部構成について説明する。図８は、図６に示した台間メダル貸機１１０の内部構成を示すブロック図である。台間メダル貸機１１０は、記憶部１６に判定閾値１６ｄを記憶せず、制御部１７に判定処理部１７ｄを有さない点が図４に示した台間メダル貸機１０と異なる。また、動作制限部１１７ｅの動作が図４に示した台間メダル貸機１０と異なる。その他の構成及び動作については、図２に示した台間メダル貸機１０と同様であるので、同一の構成要素には同一の符号を付して説明を省略する。
【０１０６】
動作制限部１１７ｅは、計数データ１６ｅを随時カード管理装置１４０に送信する。また、遊技に使用されたメダル数である使用メダル数、入賞により払い出されたメダル数である賞出メダル数、並びにメダル貸や再プレイにより払い出された払出メダルを随時カード管理装置４０に送信する。
【０１０７】
また、動作制限部１１７ｅは、カード管理装置１４０から動作制限指示を受信した場合には、台間メダル貸機１１０の動作を制限する。この動作制限については、実施例１と同様であるので説明を省略する。
【０１０８】
次に、カード管理装置１４０による動作制限の処理手順について説明する。図９は、カード管理装置１４０による動作制限の処理手順について説明するためのフローチャートである。
【０１０９】
カード管理装置１４０の動作制限管理部４６ｃは、台間メダル貸機１１０から計数データ１６ｅ等のデータを収集し、動作制限管理データ４５ｃを更新する（ステップＳ２０１）。判定処理部４６ｂは、更新された動作制限管理データ４５ｃが判定条件４５ｂを満たすか否かを判定する（ステップＳ２０２）。
【０１１０】
判定処理部４６ｂによる判定の結果、動作制限の条件を満たす台間メダル貸機１１０が存在しなければ（ステップＳ２０３；Ｎｏ）、動作制限管理部４６ｃはそのまま処理を終了する。一方、判定処理部４６ｂによる判定の結果、動作制限の条件を満たす台間メダル貸機１１０が存在する場合には（ステップＳ２０３；Ｙｅｓ）、動作制限管理部４６ｃは、動作制限の条件を満たした台間メダル貸機１１０に対して動作制限指示を送信して（ステップＳ２０４）、処理を終了する。
【０１１１】
上述してきたように、本実施例２では、カード管理装置１４０が動作制限の条件が成立したか否かを判定し、動作制限の条件が成立した場合には、動作制限の対象となる台間メダル貸機１１０に動作制限指示を送信することで、台間メダル貸機１１０の動作制限を行ない、不正による被害を抑制することができる。
【０１１２】
なお、本実施例２では、非正規メダル混入率及び非正規メダル計数値に基づいて動作制限を行なうか否かを判定する場合について説明したが、遊技に関する他のデータに基づいて動作制限の判定を行ってもよい。例えば、計数対象となるメダル数は、賞出メダル数から使用メダル数と払出メダル数を減算した値であるので、
推定手持ちメダル数＝数賞出メダル数−使用メダル数−払出メダル数
により推定手持ちメダル数を算定し、計数メダル数が推定手持ちメダル数よりも所定値以上大きい場合に動作制限を行なうよう構成してもよい。
【０１１３】
また、監視カメラ等により遊技客を監視し、監視カメラの画像を確認した店員がカード管理装置１４０に対する操作を行うことで、台間メダル貸機１１０に対して動作制限指示を送信可能としてもよい。
【０１１４】
また、本実施例２では、単一の台間メダル貸機１１０で非正規メダルの計数値を確認する場合について説明したが、同一の遊技客が台移動により複数の遊技機を使用した場合には、該遊技客が使用した複数の遊技台で非正規メダルの計数値を累積することとしてもよい。例えば、累積計数値が１０枚で不正判断を行なう場合、カメラ等で遊技客を撮像しておき、遊技客Ａが１番台（遊技機番号１の遊技機）で６枚の非正規メダルを計数し、その数時間後、カメラでの認証の結果、Ａと同一人物と判定された遊技客が、１００番台（遊技機番号１００の遊技機）で５枚の非正規メダルの計数を行なったならば、非正規メダルの累積計数値は１１となり、閾値１０枚を超えているため、該１００番台に動作制限をかけることとなる。遊技客の認証は、カメラを用いた画像認識の他、持メダルを関連付けたカードの情報で追跡したり、遊技機履歴から追跡するようにしてもよい。
【０１１５】
また、本実施例２では、動作制限の条件が成立した台間メダル貸機１１０に動作制限を行なわせる場合について説明したが、該台間メダル貸機１１０の属する遊技島に設置した島端計数機にも動作制限指示を送信して動作制限を行なわせる等、動作制限の対象は任意に設定可能である。
【０１１６】
また、本実施例２では、動作制限の判定をカード管理装置１４０が行なう場合について説明したが、カード管理装置１４０からは台間メダル貸機１１０に判定閾値を送信し、動作制限の判定を台間メダル貸機１１０で行なうように構成してもよい。この場合には、カード管理装置１４０は、各台間メダル貸機１１０で計数されたメダルの識別結果に基づいて、遊技店内で使用されているメダルにおける非正規メダルの混入状況をリアルタイムに反映した判定閾値を算定し、台間メダル貸機１１０に使用させることができる。
【０１１７】
なお、上述の実施例１及び２では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティックであってもよい。
【０１１８】
また、上述の実施例１及び２では、正規のメダルと非正規のメダルとを識別する場合を例に説明を行なったが、同一店舗内でレートの異なる複数種類のメダルを使用する場合には、メダルのレートをさらに識別するように構成してもよい。例えば、遊技店内をレートにより区画分けしていれば、台間メダル貸機１０又は１１０は、自装置が設置されている区画以外で使用されるべきメダルについては、非正規のメダルと同様に取り扱うこととなる。この時、他の区画で使用されるべき異レートメダルと、自店舗で使用されていない他店メダルについて区別して計数し、異レートメダルの混入と他店メダルの混入とで動作制限等の対応を異ならせてもよい。
【０１１９】
また、上述の実施例１及び２では、遊技媒体としてメダルを使用する場合を例に説明を行なったが、遊技媒体として遊技玉を使用する場合であっても本発明を適用可能である。
【０１２０】
また、図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１２１】
以上のように、本発明に係る各台装置、遊技システム及び遊技媒体管理方法は、非正規の遊技媒体を計数することによる不正の抑制に適している。
【符号の説明】
【０１２２】
１０、１１０  台間メダル貸機
１１  状態表示部
１２  紙幣搬送部
１２ａ  紙幣挿入口
１３  表示操作部
１４  リーダライタ
１４ａ  カード挿入口
１４ｂ  かざし部
１５  通信部
１６、４５  記憶部
１６ａ  カードＩＤ
１６ｂ  有価価値データ
１６ｃ  基準メダルデータ
１６ｄ  判定閾値
１６ｅ  計数データ
１７、４６  制御部
１７ａ  データ管理部
１７ｂ  計数処理部
１７ｃ  識別処理部
１７ｄ  判定処理部
１７ｅ、１１７ｅ  動作制限部
１８  ノズルユニット
１８ａ  ノズル
１９  計数ユニット
１９ａ  メダル投入部
２０  遊技機
２１  ドラム部
２２、４１  表示部
２３  メダル投入口
２４  操作部
２５  受け皿
３０  島コントローラ
４０、１４０  カード管理装置
４２  入力部
４４  店舗ネットワーク通信部
４５ａ  カード管理データ
４５ｂ  判定条件
４５ｃ  動作制限管理データ
４６ａ  カード管理部
４６ｂ  判定処理部
４６ｃ  動作制限管理部
５０  会員管理装置
６０  景品管理装置
８０  精算機
【図１】
2014042748.tif 000003
【図２】
2014042748.tif 000004
【図３】
2014042748.tif 000005
【図４】
2014042748.tif 000006
【図５】
2014042748.tif 000007
【図６】
2014042748.tif 000008
【図７】
2014042748.tif 000009
【図８】
2014042748.tif 000010
【図９】
2014042748.tif 000011